(57)【要約】  セルフ・フラッシング・コネクタは、内腔と、第１の入口ポートと、第２の入口ポートと、出口ポートと、を有するハウジングを含む。折りたたみ可能なバルブは、内腔内に配置されている。第１の流れ経路は、第１の入口ポートから出口ポートまで延びる。第１の入口ポートと第２の入口ポートは、折りたたみ可能なバルブの本体と、内腔を画定する、ハウジングの内壁と、の間に画定されたギャップを通して、流体的に接続される。第２の流れ経路は、第２の入口ポートから第１の流れ経路まで延びる。折りたたみ可能なバルブが、閉じた状態にあるとき、折りたたみ可能なバルブは、第２の流れ経路を、第１の流れ経路から、流体的に切断し、一方で、流体が第１の流れ経路を通って流れることを、可能にする。折りたたみ可能なバルブが、開いた状態にあるとき、第２の流れ経路は、第１の流れ経路に、流体的に接続される。
2021521967.tif 000002
【特許請求の範囲】
【請求項１】
内腔と、第１の入口ポートと、第２の入口ポートと、出口ポートと、を含むハウジングであって、前記第１の入口ポートは、前記ハウジングの側壁から、前記内腔まで延びており、前記第２の入口ポートは、前記ハウジングの上部分から、前記内腔まで延びており、前記出口ポートは、前記第１の入口ポート及び前記内腔と、流体的に接続されている、ハウジングと、
前記内腔内に配置された、折りたたみ可能なバルブと、
前記第１の入口ポートから前記出口ポートまで延びている、第１の流れ経路であって、前記第１の入口ポート及び前記第２の入口ポートは、前記折りたたみ可能なバルブの前記本体と、前記内腔を画定している前記ハウジングの内壁と、の間に画定されたギャップを通して流体的に接続されている、第１の流れ経路と、
前記第２の入口ポートから前記第１の流れ経路まで延びている、第２の流れ経路と、を備え、
前記折りたたみ可能なバルブが、閉じた状態にあるとき、前記折りたたみ可能なバルブは、前記第２の流れ経路を、前記第１の流れ経路から、流体的に切断し、一方で、流体が前記第１の流れ経路を通って流れることを、可能にし、
前記折りたたみ可能なバルブが、開いた状態にあるとき、前記第２の流れ経路は、前記第１の流れ経路に、流体的に接続されて、前記第２の流れ経路に入る流体が前記出口ポートを通って外へフラッシュされることを、可能にする、
セルフ・フラッシング・コネクタ。
【請求項２】
前記折りたたみ可能なバルブは、ヘッドと、前記ヘッドから長手方向に延びている、本体と、を含み、前記閉じた状態にあるとき、前記ヘッドは、前記第２の入口ポート内に延びて、前記第２の流れ経路を、前記第１の流れ経路から、流体的に切断する、請求項１に記載のセルフ・フラッシング・コネクタ。
【請求項３】
前記第１の入口ポートは、前記出口ポートと軸方向に一列に並べられている、請求項１に記載のセルフ・フラッシング・コネクタ。
【請求項４】
前記第２の入口ポートは、前記第１の入口ポートに対して垂直に配置されている、請求項１に記載のセルフ・フラッシング・コネクタ。
【請求項５】
前記第２の入口ポートは、前記出口ポートに対して垂直に配置されている、請求項４に記載のセルフ・フラッシング・コネクタ。
【請求項６】
前記折りたたみ可能なバルブの本体は、前記本体内に延びている、内腔を含み、前記内腔を画定している、前記本体の内壁は、前記バルブに圧力が加えられたときに、前記バルブが変形することを可能にする、少なくとも１つのディンプルを含む、請求項１に記載のセルフ・フラッシング・コネクタ。
【請求項７】
前記第１の入口ポートは、第１の流体が、前記コネクタ内に流れることを可能にし、前記折りたたみ可能なバルブが、前記開いた状態にあるとき、前記第２の入口ポートは、前記第１の流体とは異なる第２の流体が、前記コネクタ内に同時に流れることを可能にする、請求項１に記載のセルフ・フラッシング・コネクタ。
【請求項８】
内腔と、第１の入口ポートと、第２の入口ポートと、出口ポートと、を含むハウジングと、
前記ハウジングの前記内腔内に配置された、折りたたみ可能なバルブであって、前記折りたたみ可能なバルブは、ヘッドと、前記ヘッドから延びている本体と、前記本体の一部に画定された肩部を含む、折りたたみ可能なバルブと、
前記第１の入口ポートから、前記ハウジングの前記内腔内へ、かつ前記折りたたみ可能なバルブの前記本体の周りで、前記出口ポートまで延びている、第１の流れ経路と、
前記第２の入口ポートから、前記ハウジングの前記内腔内へ、かつ前記折りたたみ可能なバルブの前記ヘッドの周りで、前記第１の流れ経路まで延びている、第２の流れ経路と、を備え、
前記折りたたみ可能なバルブが、閉じた状態にあるとき、前記折りたたみ可能なバルブの前記ヘッドは、前記第２の流れ経路を、前記第１の流れ経路から、流体的に切断し、
前記折りたたみ可能なバルブが、開いた状態にあるとき、前記第２の流れ経路は、前記第１の流れ経路に、流体的に接続される、
セルフ・フラッシング・コネクタ組立体。
【請求項９】
前記閉じた状態にあるとき、前記バルブの前記ヘッドは、前記第２の入口ポート内に延びている、請求項８に記載のセルフ・フラッシング・コネクタ。
【請求項１０】
前記第１の入口ポートは、前記出口ポートとは反対側に配置されている、請求項８に記載のセルフ・フラッシング・コネクタ。
【請求項１１】
前記第２の入口ポートは、前記第１の入口ポートに対して垂直に配置されている、請求項８に記載のセルフ・フラッシング・コネクタ。
【請求項１２】
前記第２の入口ポートは、前記出口ポートに対して垂直に配置されている、請求項１１に記載のセルフ・フラッシング・コネクタ。
【請求項１３】
前記折りたたみ可能なバルブの前記本体は、前記本体内に延びている、内腔を含み、前記内腔を画定している、前記本体の内壁は、前記バルブに圧力が加えられたときに、前記バルブが変形することを可能にする、少なくとも１つのディンプルを含む、請求項８に記載のセルフ・フラッシング・コネクタ。
【請求項１４】
前記第１の入口ポートは、第１の流体が、前記コネクタ内に流れることを可能にし、前記バルブが、前記開いた状態にあるとき、前記第２の入口ポートは、前記第１の流体とは異なる第２の流体が、前記コネクタ内に同時に流れることを可能にする、請求項８に記載のセルフ・フラッシング・コネクタ。
【請求項１５】
ハウジングであって、前記ハウジング内に長手方向に延びている内腔を含む、ハウジングと、
前記ハウジングの前記内腔内に配置された、折りたたみ可能なバルブであって、前記折りたたみ可能なバルブは、ヘッドと、前記ヘッドから延びている本体と、を含む、折りたたみ可能なバルブと、
前記ハウジングの側壁から延びている、第１の入口ポート、及び前記ハウジングの反対側の側壁から延びている、出口ポートであって、前記第１の入口ポート及び前記出口ポートは、前記第１の入口ポートと前記出口ポートとの間の流れ経路を画定している、第１の入口ポート及び出口ポートと、
前記ハウジングの上部分から、前記ハウジングの前記内腔内へ延びている、第２の入口ポートと、を備え、
前記折りたたみ可能なバルブが、閉じた状態にあるとき、前記折りたたみ可能なバルブの前記ヘッドは、前記第２の入口ポートから前記流れ経路内への、流体の流れを遮断し、
前記折りたたみ可能なバルブが、開いた状態にあるとき、前記第２の入口ポートは、前記流れ経路に、流体的に接続されている、
セルフ・フラッシング・コネクタ。
【請求項１６】
前記流れ経路は、前記第１の入口ポートから、前記ハウジングの前記内腔内へ、かつ前記折りたたみ可能なバルブの前記本体の周りで、前記出口ポートまで延びている、第１の流れ経路を含み、
第２の流れ経路は、前記第２の入口ポートから、前記ハウジングの前記内腔内へ、かつ前記折りたたみ可能なバルブの前記ヘッドの周りで、前記第１の流れ経路まで延びている、請求項１５に記載のセルフ・フラッシング・コネクタ。
【請求項１７】
前記第１の入口ポートは、第１の流体が、前記コネクタ内に流れることを可能にし、前記バルブの前記開いた状態にあるとき、前記第２の入口ポートは、第２の流体が、前記コネクタ内に流れることを可能にし、
前記第１の流体と前記第２の流体は、異なる、請求項１６に記載のセルフ・フラッシング・コネクタ。
【請求項１８】
前記バルブの前記ヘッドは、前記第２の入口ポート内に延びている、請求項１５に記載のセルフ・フラッシング・コネクタ。
【請求項１９】
前記第２の入口ポートは、前記第１の入口ポートに対して垂直に配置されている、請求項１５に記載のセルフ・フラッシング・コネクタ。
【請求項２０】
前記第２の入口ポートは、前記出口ポートに対して垂直に配置されている、請求項１５に記載のセルフ・フラッシング・コネクタ。
【発明の詳細な説明】
【技術分野】
【０００１】
関連出願の相互参照
本出願は、２０１８年４月２４日に米国特許商標庁に出願された米国特許仮出願第６２／６６２，０９８号の合衆国法典第３５巻第１１９条に基づく優先権を主張し、その内容全体が、あらゆる目的のために、参照により本明細書に組み込まれる。
【０００２】
本開示は、広義には、注入による薬剤の投与に関し、より具体的には、セルフ・フラッシング・コネクタに関する。
【背景技術】
【０００３】
注入薬又は輸液を含む、静脈注射用（ｉｎｔｒａｖｅｎｏｕｓ：ＩＶ）バッグ、ボトル、注射器、又はその他の容器は、輸液を投与するために、ラックから吊るされる。チューブは、容器と注入ポンプシステムとの間に接続される。チューブの端にあるカテーテルは、ＩＶ注入のために患者に挿入される。チューブは、取付け具、コネクタ、バルブ、及びポンプ要素を含む、組立体の一部であり得、しばしば「ＩＶセット」と呼ばれる。注入ポンプシステムが、始動されると、輸液は、患者に投与される。
【０００４】
既存のＩＶコネクタは、Ｙサイトコネクタを含む。当該Ｙサイトコネクタは、側流路を介して払い出される追加の薬剤が、主流路を通って流れている薬剤又は流体とともに、患者に投与されることを可能にする。追加の薬剤を払い出した後、介護者は、追加の薬剤が、側流路に全く残されないようにするために、側流路を通して追加の薬剤及び流体をフラッシュして、Ｙサイトコネクタを介して払い出されたすべての追加の薬剤が、主流路に押し込まれることを確実にする。
【発明の概要】
【０００５】
患者（例えば、幼児）は、既に投与された薬剤に加えて投与される、追加の流体に対して感受性が高い場合がある。そのような場合、側流路を介して投与される追加の薬剤及び流体の、フラッシュが、必要になる場合がある。当該追加の薬剤は、それ自体では主流路にフラッシュしない場合があり、又は「デッドスペース」領域（すなわち、側路流れ）に捕まる場合がある、少量のものであり得るからである。これらのことは、追加の流体に対して感受性が高い場合がある患者に、適切でないであろう。
【０００６】
「デッドスペース」領域を最小化し、したがって追加の流体を最小化する、コネクタを提供することが、有利であろう。ここで、当該追加の流体は、側流路を介して払い出されかつ「デッドスペース」内で動かなくなる、薬剤を、主流路に押し込むために、必要となり得る。これを達成すると同時にまた、現在の注入ポンプより信頼性があり、より安価であり、かつ／又はより静か、でもある、注入ポンプを提供することは、さらなる利点となるであろう。これらの望ましい機能及び目的を実現するコネクタが、本明細書で説明される。
【０００７】
本開示の様々な実施形態によれば、セルフ・フラッシング・コネクタは、内腔と、第１の入口ポートと、第２の入口ポートと、出口ポートと、を有するハウジングを含む。第１の入口ポートは、ハウジングの側壁から、内腔まで延び、第２の入口ポートは、ハウジングの上部分から、内腔まで延び、出口ポートは、第１の入口ポート及び内腔と、流体的に接続される。折りたたみ可能なバルブは、内腔内に配置されている。第１の流れ経路は、第１の入口ポートから出口ポートまで延びる。第１の入口ポートと第２の入口ポートは、折りたたみ可能なバルブの本体と、内腔を画定する、ハウジングの内壁と、の間に画定されたギャップを通して、流体的に接続される。第２の流れ経路は、第２の入口ポートから第１の流れ経路まで延びる。折りたたみ可能なバルブが、閉じた状態にあるとき、折りたたみ可能なバルブは、第２の流れ経路を、第１の流れ経路から、流体的に切断し、一方で、流体が第１の流れ経路を通って流れることを、可能にする。折りたたみ可能なバルブが、開いた状態にあるとき、第２の流れ経路は、第１の流れ経路に、流体的に接続されて、第２の流れ経路に入る流体が出口ポートを通って外へフラッシュされることを、可能にする。
【０００８】
いくつかの実施形態では、セルフ・フラッシング・コネクタ組立体は、内腔と、第１の入口ポートと、第２の入口ポートと、出口ポートと、を有するハウジングを含む。折りたたみ可能なバルブは、ハウジングの内腔内に配置されている。折りたたみ可能なバルブは、ヘッドと、当該ヘッドから延びる本体と、当該本体の一部に画定された肩部と、を含む。第１の流れ経路は、第１の入口ポートから、ハウジングの内腔内へ、かつ折りたたみ可能なバルブの本体の周りで、出口ポートまで延びる。第２の流れ経路は、第２の入口ポートから、ハウジングの内腔内へ、かつ折りたたみ可能なバルブのヘッドの周りで、第１の流れ経路まで延びる。折りたたみ可能なバルブが、閉じた状態にあるとき、折りたたみ可能なバルブのヘッドは、第２の流れ経路を、第１の流れ経路から、流体的に切断する。折りたたみ可能なバルブが、開いた状態にあるとき、第２の流れ経路は、第１の流れ経路に、流体的に接続される。
【０００９】
いくつかの実施形態では、セルフ・フラッシング・コネクタは、ハウジングであって、当該ハウジング内に長手方向に延びる内腔を有する、ハウジングと、当該ハウジングの当該内腔内に配置された、折りたたみ可能なバルブと、を含む。折りたたみ可能なバルブは、ヘッドと、当該ヘッドから延びる本体と、を含む。セルフ・フラッシング・コネクタは、ハウジングの側壁から延びる、第１の入口ポート、及び当該ハウジングの反対側の側壁から延びる、第２の入口ポートをさらに含む。第１の入口ポート及び第２の入口ポートは、それらの間の流れ経路を画定し、第２の入口ポートは、ハウジングの上部分から、ハウジングの内腔内へ延びる。折りたたみ可能なバルブが、閉じた状態にあるとき、折りたたみ可能なバルブのヘッドは、第２の入口ポートから流れ経路内への、流体の流れを遮断する。折りたたみ可能なバルブが、開いた状態にあるとき、第２の入口ポートは、流れ経路に、流体的に接続される。
【００１０】
以下の図は、実施形態の特定の態様を図示するために含まれており、排他的な実施形態として見るべきではない。開示される主題は、当業者が思い付くであろう、本開示の恩恵を受ける、形態及び機能における多くの修正、変更、組合わせ、及び同等物が、可能である。
【図面の簡単な説明】
【００１１】
【図１】本開示の特定の態様による、セルフ・フラッシング・コネクタを含むコネクタ組立体を示す図である。
【図２】本開示の特定の態様による、セルフ・フラッシング・コネクタの等角図である。
【図３】本開示の特定の態様による、セルフ・フラッシング・コネクタの断面図である。
【図４】本開示の特定の態様による、注射器が挿入されたセルフ・フラッシング・コネクタの断面図である。
【図５】本開示の特定の態様による、セルフ・フラッシング・コネクタの主流路を図示している断面図である。
【発明を実施するための形態】
【００１２】
以下に記載される詳細な説明は、対象技術の様々な構成を説明しており、対象技術が実施され得る唯一の構成を表すように意図されているのではない。詳細な説明には、対象技術の完全な理解を与える目的で、特定の詳細が含まれている。したがって、寸法は、特定の態様に関して、非限定的な例として提供され得る。しかしながら、対象技術がこれらの特定の詳細なしに実施され得ることが、当業者に明らかであろう。いくつかの例では、対象技術の概念を不明瞭にすることを避けるために、よく知られた構造及び構成要素が、ブロック図の形態で示される。
【００１３】
本開示は、対象技術の例を含んでおり、かつ添付の特許請求の範囲を限定しないことが、理解されるべきである。ここで、対象技術の様々な態様が、特定の、しかし非限定的な例に従って開示される。本開示で説明される様々な実施形態は、それぞれ異なる方法及び変形で、かつ所望の用途又は具体化に従って、実施され得る。
【００１４】
開示されるコネクタの実施形態は、側流路を介して払い出される追加の薬剤を、主流路に押し込むための追加の流体が、ないようにして、流体を送達する、信頼性のある方法を提供する。
【００１５】
以下の詳細な説明では、本開示の完全な理解を提供するために、多数の特定の詳細が、記載される。しかしながら、本開示の実施形態は、一部の特定の詳細なしに実施され得ることが、当業者に明らかであろう。他の例では、開示を不明瞭にしないように、よく知られた構造及び技術は、詳細には示されていない。
【００１６】
本明細書に開示される方法及びシステムは、患者に医療用流体を送達するための注入ポンプに関して提示される。開示される概念が、コネクタを利用する様々な機構に適用され得ることは、当業者には明らかであろう。
【００１７】
対象技術の態様は、側流路を介して払い出された薬剤を、主流路に押し込むための追加の流体を、最少化するコネクタに関連している。この機構により、患者に入る流体の量に慎重さを要する場合に、追加のフラッシング流体の必要性を排除する。この機構は、Ｙコネクタが必要でなく、Ｙコネクタとバルブとの間のチューブ接続も必要でないから、ＩＶセットのコストを削減し得る。
【００１８】
図１は、本開示の特定の態様による、入口チューブ１１０、コネクタ１２０、及び出口チューブ１３０を含む、コネクタ組立体１００を示す。入口チューブ１１０は、コネクタ１２０の第１の入口ポート１１５に接続され得、出口チューブ１３０は、コネクタ１２０の出口ポート１２５に接続され得る。コネクタ２２０は、ハウジング１２２の上端部分から延びる、第２の入口ポート２２６をさらに含み得る。第２の入口ポート１２６は、注射器（図示せず）に接続するように構成され得、追加の流体が、コネクタ１２０内に払い出されることを可能にし得る。ここで、当該追加の流体は、ＩＶバッグ１３５からの流体とは異なるものであり、処置のために患者に供給される薬物又は他の流体を含有し得る、注入薬又は輸液を含む。動作中、患者に送達されるための薬剤は、ＩＶバッグ１３５から入口チューブ１１０を通って、コネクタ１２０の入口ポート１１５内へ流れる。次に、薬剤は、入口ポート１１５から、コネクタ１２０の出口ポート１２５内に流れ、出口チューブ１３０を通って、出口チューブ１３０の出口１３５に取り付けられたカテーテル（図示せず）を介して患者に流れる。
【００１９】
本開示の様々な実施形態は、従来のＹサイトコネクタの欠陥を克服するセルフ・フラッシング・コネクタに関する。例えば、本開示の様々な実施形態は、セルフフラッシングＩＶコネクタを対象としている。ここで、当該セルフフラッシングＩＶコネクタは、側流路を通して追加の薬剤及び流体をフラッシュしなければならないということの必要性を排除する。すべての薬剤が、払い出されることと、Ｙサイトコネクタを利用して別個の側流路を主流路に接続する、従来のコネクタ組立体で通例経験されるように側流路の「デッドスペース」に捕まらないことと、を確実にするためである。したがって、本明細書に記載の様々な実施形態のセルフ・フラッシング・コネクタは、側流路を介して払い出された少量の薬剤を、患者に到達する主流路に押し込むための、追加の流体を払い出す必要性を最小化又は完全に排除する。
【００２０】
図２は、本開示の特定の態様による、セルフ・フラッシング・コネクタの等角図である。本開示の様々な実施形態によれば、コネクタ２２０は、構造が、図１に示されるコネクタ１２０と、類似しているか又は対応している。図示されるように、コネクタ２２０は、ハウジング２２２と、ハウジング２２２の側壁２２３から延びる、第１の入口ポート２２４と、ハウジング２２２の上端部分から延びる、第２の入口ポート２２６と、を含む。セルフ・フラッシング・コネクタ２２０は、第１の入口ポート２２４と一列に並べられた、出口ポート２２８をさらに含む。いくつかの実施形態では、第１の入口ポート２２４、及び出口ポート２２８は、流体的に接続されて主流路を画定している。図１をさらに参照して図２に示されるように、第１の入口ポート２２４は、入口チューブ（すなわち、図１の入口チューブ１１０）に流体的に接続され得、かつＩＶバッグ１３５からの流体が入口チューブ１１０からコネクタ２２０内に流れることを可能にし得る。いくつかの実施形態によれば、第２の入口ポート２２６は、（図４の実施形態に示される）注射器に、接続するように構成されて、ＩＶバッグ１３５からの流体とは異なる追加の流体が、コネクタ２２０内に払い出されることを可能にする。例えば、第２の入口ポート２２６は、コネクタ２００の入口ポート２２６に取り付けられてとどまる注射器を、例えば１０〜３０秒間、受け入れて、主流路からの流体が、注射器から追加された追加の流体をフラッシュすることを可能にするように、構成される。図１及び図２に示されるように、出口ポート２２８は、ＩＶバッグ１３５からの流体、及び注射器からの追加の流体が、コネクタ２２０から出ることを可能にするために、出口チューブ１３０に接続され得る。
【００２１】
図３は、セルフ・フラッシング・コネクタ３２０の断面図である。本開示の様々な実施形態によれば、コネクタ３２０は、構造が、図１及び図２に示されるコネクタ２２０と、類似しているか又は対応している。特に、図３のコネクタ３２０は、コネクタ２２０の断面図を表す。コネクタ２２０に類似して、コネクタ３２０は、ハウジング３２２と、ハウジング３２２の側壁から延びる、第１の入口ポート３２４と、ハウジング３２２の上端部分から延びる、第２の入口ポート３２６と、を含む。セルフ・フラッシング・コネクタ３２０は、出口ポート３２８をさらに含む。ハウジング３２２は、ハウジング３２２内で長手方向に延びる内腔３２３を含み得る。内腔３２３は、第１の入口ポート３２４、第２の入口ポート３２６、及び出口ポート３２８と、流体的に接続され得る。
【００２２】
いくつかの実施形態によれば、コネクタ３２０は、ハウジング３２２の内腔３２３内に配置された、折りたたみ可能なバルブ３４０をさらに含み得る。図示されるように、折りたたみ可能なバルブ３４０は、折りたたみ可能なバルブ３４０の上部分に画定されたヘッド３４２と、ヘッド３４２から長手方向に延びる本体３４４と、を含み得る。ヘッド３４２の上面３４３の直径は、第２の入口ポート３２６の開口部３２７の直径より大きくてもよく、第２の入口ポート３２６の開口部３２７をシールしてもよい。いくつかの実施形態では、コネクタ３２０は、ヘッド３４２より下に位置づけられたネック部分３４５をさらに含み得、当該ネック部分である３４５は、ヘッド３４２と本体３４４との間の狭窄部分を画定し得る。さらに図示されるように、肩部３４６が、折りたたみ可能なバルブ３４０のネック部分３４５の基部に、画定されていてもよい。肩部３４６は、ヘッド３４２及びネック部分３４５との比較における、本体３４４の拡幅部分を画定し得る。いくつかの実施形態では、本体３４４は、その中に画定された内腔３４８を有し得る。いくつかの態様では、バルブ３４０の内腔３４８を画定する、本体３４４の内壁３４７は、バルブ３４０が、圧力がバルブ３４０に加えられたときに、変形することを可能にする、１つ以上のディンプル３４９を含み得る。
【００２３】
図３は、閉じた状態のバルブ３４０を示す。バルブ３４０が、閉じた状態にあるとき、バルブ３４０のヘッド３４２は、第２の入口ポート３２６内に延びていてもよい。さらに、ヘッド３４２の上面３４３の直径が、第２の入口ポート３２６の開口部３２７の直径より大きい場合の実施形態では、ヘッド３４２は、バルブ３４０が閉じた状態にあるときにいかなる流体が第２の入口ポート３２６を通って流入することも制限するために、第２の入口ポート３２６の開口部３２７をシールするための、一次シールを提供し得る。いくつかの態様では、ハウジング３２２の内腔３２３によって画定される領域は、第２の入口ポート３２６の開口部３２７に向かって、テーパ状であるかその他サイズが縮小していてもよい。バルブ３４０が、図３に示される閉じた状態にあるとき、バルブ３４０の肩部３４６は、内腔３２３の狭窄した領域において内腔３２３を画定する壁に、接触していてもよく、それにより、流体が、第２の入口ポート３２６を通って、内腔３２３内へ流れることを、制限するための二次シールを提供してもよい。
【００２４】
しかしながら、バルブ３４０が閉じた状態にあるときでも、流体は、第１の入口ポート３２４から、バルブ３４０の本体３４４の外面とハウジング３２２の内腔３２３を画定する内壁との間のギャップ５２５（図５において示される）を通って、出口ポート３２８へ流れることができてもよい。例えば、ＩＶバッグ１３５からの流体は、矢印３５０Ａによって図示される流れ方向で、第１の入口ポート３２４から、ハウジング３２２の内腔３２３内に流れてもよい。第１の入口ポート３２４から内腔３２３に入る、ＩＶバッグ１３５からの流体は、次に、バルブ３４０の本体３４４とハウジング３２２の内腔３２３との間のギャップ５２５（図５において示される）を通って、バルブ３４０の本体３４４の外部の周りを流れてもよい。ギャップ５２５（図５において示される）を通って内腔３２３内に流れた、ＩＶバッグ１３５からの流体は、次に、矢印３５０Ｂによって図示されるように、出口ポート３２８を通って、内腔３２３を出てもよい。第１の入口ポート３２４から、ギャップ５２５（図５において示される）を通って、出口ポート３２８まで作られた流体経路は、コネクタ３２０の主流体路である。
【００２５】
図４は、注射器が挿入されたセルフ・フラッシング・コネクタ４２０の断面図である。本開示の様々な実施形態によれば、コネクタ４２０は、構造が、図３に示されるコネクタ３２０と、類似しているか又は対応している。特に、図４のコネクタ４２０は、第２の入口ポート３２６に注射器が挿入された、コネクタ３２０の断面図を表す。コネクタ４２０は、図３のセルフ・フラッシング・コネクタ３２０に関して説明されたものと同じ部品を含み、したがって、当該部品の詳細な説明は、省略される。
【００２６】
図４は、開いた状態のバルブ３４０を示す。本開示の様々な実施形態によれば、注射器４５０が、第２の入口ポート３２６に挿入されるかその他取り付けられ得る。注射器４５０が、第２の入口ポート３２６内へ前進させられるとき、注射器４５０の先端４５５は、注射器４５０の移動方向に、バルブ３４０のヘッド３４２を押して、圧力が、バルブ３４０のヘッド３４２に加えられるようにする。圧力が、ヘッド３４２に加えられるとき、バルブ３４０は、圧縮されて変形し、それにより、図３に示される閉じた状態から、図４に示される開いた状態に進んで、流体が第２の入口ポート３２６を通ってハウジング３２２の内腔３２３内に流れることを可能にする。例えば、バルブ３４０が、注射器４５０によって加えられた圧力の結果として変形し、それによって開いた状態で置かれているとき、バルブ３４０が閉じた状態にあったときにバルブ３４０のヘッド３４２によってブロックされ又はその他閉塞されていた、第２の入口ポート３２６の流体経路が、主流路に接続され、一方、ＩＶバッグ１３５（図１において示される）からの、主流路を通る（すなわち、第１の入口と第２の入口との間の）、流体の継続的な流れが、同時に維持される。注射器４５０が、第２の入口ポート３２６に挿入され、コネクタ４２０に取り付けられて、追加の流体を払い出すためにバルブ３４０にアクセスするとき、注射器４５０は、例えば１０〜３０秒間、コネクタ４２０に取り付けられたままとなって、主流路からの流体が、注射器４５０から追加された追加の流体を、フラッシュすることを可能にする。
【００２７】
図５は、コネクタ５２０の断面図である。本開示の様々な実施形態によれば、コネクタ５２０は、構造が、図３に示されるコネクタ３２０と、類似しているか又は対応している。特に、図５のコネクタ５２０は、コネクタの主流路５３０の断面図を表す。コネクタ５２０は、図３に関して説明されたものと同じ部品を含み、したがって、当該部品の詳細な説明は、省略される。
【００２８】
図５は、閉じた状態のバルブ３４０を示す。本開示の様々な実施形態によれば、主流路５３０は、第１の入口ポート３２４から、バルブ３４０の本体３４４の周りで、バルブ３４０の本体３４４とハウジング３２２の内面との間に延びるギャップ５２５を通って、出口ポート３２８まで延びる。第１の入口ポート３２４と出口ポート３２８との間に継続的に開いた流れ経路が存在する、前述の構成は、バルブ３４０が、流体が第２の入口ポート３２６（図３及び図４において示されている）を通って流れないように制限されている、閉じた状態にあるときでも、主流路５３０を通る継続的な流体の流れを可能にする。主流路５３０の流れ経路は、継続的に開いているから、バルブ３４０が、開いた状態にあるとき、流体は、依然として、主流路５３０を通って流れる。開いた状態では、注射器４５０によって第２の入口ポート３２６に導入される追加の流体は、主流路５３０に合流して、第１の入口ポート３２４からハウジング３２２の内腔３２３内へ流れている流体とともに、出口ポート３２８からアウトプットされる（すなわち、フラッシュされる）。
【００２９】
本明細書に記載の様々な実施形態のセルフ・フラッシング・コネクタは、少量の薬剤の払出しの後に、当該少量の薬剤を「デッドスペース」から移動させて、薬剤が患者に到達することを確実にするために、複数の注射器プッシュが施される必要性をそれが排除するという点で、従来技術よりも有利である。特に、本明細書に記載の様々な実施形態のコネクタは、折りたたみ可能なバルブが開いた状態にあるか閉じた状態にあるかにかかわらず、コネクタの第１の入口ポートと出口ポートとの間で、主流路中に、継続的に開いた流体経路が存在するから、セルフ・フラッシング・コネクタと呼ばれる。それ故、注射器が、第２の入口ポートに挿入されて、追加の薬剤を払い出すと、主流路を通って流れている流体は、注射器によって導入された追加の流体を、主流路に、及び患者に到達する出口ポートから外へ、「セルフフラッシュ」する。したがって、本明細書に記載の様々な実施形態のセルフ・フラッシング・コネクタは、臨床医又は他の医療スタッフが、従来のＹサイトコネクタを採用しているコネクタ組立体で、デッドスペースに捕まる追加の少量の薬剤をフラッシュするために、複数の注射器プッシュをなす必要性を排除する。
【００３０】
したがって、本明細書に記載の様々な実施形態のセルフフラッシングＩＶコネクタは、（「デッドスペース」の余地がある）別個の側流路を通して追加の薬剤及び流体をフラッシュしなければならないということの必要性を排除する。すべての薬剤が、払い出されることと、従来のＹサイトコネクタで通例経験されるように側流路の当該「デッドスペース」に捕まらないことと、を確実にするためである。したがって、本明細書に記載の様々な実施形態のセルフ・フラッシング・コネクタは、側流路を介して払い出された薬剤を、患者への払出しのための主流路に押し込むための、追加の流体の必要性を最小化又は完全に排除する。
【００３１】
本明細書に記載の様々な実施形態のセルフ・フラッシング・コネクタが、ＩＶバッグから患者に流れている流体の、主流路に直接接続し、それにより、別個のＹサイトコネクタ、及びコネクタ（例えば、無針コネクタ）をＩＶバッグと患者との間の主流路に接続するための対応するチューブ類の、必要性を排除するという点で、さらなる利点が、実現される。したがって、有利なことに、コネクタ組立体のコストは、Ｙサイトコネクタ及び対応するチューブ類の必要性を排除することによって、削減される。
【００３２】
本開示の態様の様々な例は、便宜のために、番号付きの条項（１、２、３など）として記載される。これらは、例として提供されるし、対象技術を限定しない。図及び参照番号の識別は、単に説明の目的のための例として、以下に提供され、条項は、それらの識別によって限定されない。
【００３３】
第１条：セルフ・フラッシング・コネクタであって、内腔と、第１の入口ポートと、第２の入口ポートと、出口ポートと、を含むハウジングであって、当該第１の入口ポートは、当該ハウジングの側壁から、当該内腔まで延びており、当該第２の入口ポートは、当該ハウジングの上部分から、当該内腔まで延びており、当該出口ポートは、当該第１の入口ポート及び当該内腔と、流体的に接続されている、ハウジングと、当該内腔内に配置された、折りたたみ可能なバルブと、当該第１の入口ポートから当該出口ポートまで延びている、第１の流れ経路であって、当該第１の入口ポート及び当該第２の入口ポートは、当該折りたたみ可能なバルブの本体と、当該内腔を画定している当該ハウジングの内壁と、の間に画定されたギャップを通して流体的に接続されている、第１の流れ経路と、当該第２の入口ポートから当該第１の流れ経路まで延びている、第２の流れ経路と、を備え、当該折りたたみ可能なバルブが、閉じた状態にあるとき、当該折りたたみ可能なバルブは、当該第２の流れ経路を、当該第１の流れ経路から、流体的に切断し、一方で、流体が当該第１の流れ経路を通って流れることを、可能にし、当該折りたたみ可能なバルブが、開いた状態にあるとき、当該第２の流れ経路は、当該第１の流れ経路に、流体的に接続されて、当該第２の流れ経路に入る流体が当該出口ポートを通って外へフラッシュされることを、可能にする、セルフ・フラッシング・コネクタ。
【００３４】
第２条：当該折りたたみ可能なバルブは、ヘッドと、当該ヘッドから長手方向に延びている、本体と、を含み、当該閉じた状態にあるとき、当該ヘッドは、当該第２の入口ポート内に延びて、当該第２の流れ経路を、当該第１の流れ経路から、流体的に切断する、第１条に記載のセルフ・フラッシング・コネクタ。
【００３５】
第３条：当該第１の入口ポートは、当該出口ポートと軸方向に一列に並べられている、第１条に記載のセルフ・フラッシング・コネクタ。
【００３６】
第４条：当該第２の入口ポートは、当該第１の入口ポートに対して垂直に配置されている、第１条に記載のセルフ・フラッシング・コネクタ。
【００３７】
第５条：当該第２の入口ポートは、当該出口ポートに対して垂直に配置されている、第４条に記載のセルフ・フラッシング・コネクタ。
【００３８】
第６条：当該折りたたみ可能なバルブの本体は、当該本体内に延びている、内腔を含み、当該内腔を画定している、当該本体の内壁は、当該バルブに圧力が加えられたときに、当該バルブが変形することを可能にする、少なくとも１つのディンプルを含む、第１条に記載のセルフ・フラッシング・コネクタ。
【００３９】
第７条：当該第１の入口ポートは、第１の流体が、当該コネクタ内に流れることを可能にし、当該折りたたみ可能なバルブが、当該開いた状態にあるとき、当該第２の入口ポートは、当該第１の流体とは異なる第２の流体が、当該コネクタ内に同時に流れることを可能にする、第１条に記載のセルフ・フラッシング・コネクタ。
【００４０】
第８条：セルフ・フラッシング・コネクタ組立体であって、内腔と、第１の入口ポートと、第２の入口ポートと、出口ポートと、を含むハウジングと、当該ハウジングの当該内腔内に配置された、折りたたみ可能なバルブであって、当該折りたたみ可能なバルブは、ヘッドと、当該ヘッドから延びている本体と、当該本体の一部に画定された肩部を含む、折りたたみ可能なバルブと、当該第１の入口ポートから、当該ハウジングの当該内腔内へ、かつ当該折りたたみ可能なバルブの当該本体の周りで、当該出口ポートまで延びている、第１の流れ経路と、当該第２の入口ポートから、当該ハウジングの当該内腔内へ、かつ当該折りたたみ可能なバルブの当該ヘッドの周りで、当該第１の流れ経路まで延びている、第２の流れ経路と、を備え、当該折りたたみ可能なバルブが、閉じた状態にあるとき、当該折りたたみ可能なバルブの当該ヘッドは、当該第２の流れ経路を、当該第１の流れ経路から、流体的に切断し、当該折りたたみ可能なバルブが、開いた状態にあるとき、当該第２の流れ経路は、当該第１の流れ経路に、流体的に接続される、セルフ・フラッシング・コネクタ組立体。
【００４１】
第９条：当該閉じた状態にあるとき、当該バルブの当該ヘッドは、当該第２の入口ポート内に延びている、第８条に記載のセルフ・フラッシング・コネクタ。
【００４２】
第１０条：当該第１の入口ポートは、当該出口ポートとは反対側に配置されている、第８条に記載のセルフ・フラッシング・コネクタ。
【００４３】
第１１条：当該第２の入口ポートは、当該第１の入口ポートに対して垂直に配置されている、第８条に記載のセルフ・フラッシング・コネクタ。
【００４４】
第１２条：当該第２の入口ポートは、当該出口ポートに対して垂直に配置されている、第１１条に記載のセルフ・フラッシング・コネクタ。
【００４５】
第１３条：当該折りたたみ可能なバルブの当該本体は、当該本体内に延びている、内腔を含み、当該内腔を画定している、当該本体の内壁は、当該バルブに圧力が加えられたときに、当該バルブが変形することを可能にする、少なくとも１つのディンプルを含む、第８条に記載のセルフ・フラッシング・コネクタ。
【００４６】
第１４条：当該第１の入口ポートは、第１の流体が、当該コネクタ内に流れることを可能にし、当該バルブが、当該開いた状態にあるとき、当該第２の入口ポートは、当該第１の流体とは異なる第２の流体が、当該コネクタ内に同時に流れることを可能にする、第８条に記載のセルフ・フラッシング・コネクタ。
【００４７】
第１５条：セルフ・フラッシング・コネクタであって、ハウジングであって、当該ハウジング内に長手方向に延びている内腔を含む、ハウジングと、当該ハウジングの当該内腔内に配置された、折りたたみ可能なバルブであって、当該折りたたみ可能なバルブは、ヘッドと、当該ヘッドから延びている本体と、を含む、折りたたみ可能なバルブと、当該ハウジングの側壁から延びている、第１の入口ポート、及び当該ハウジングの反対側の側壁から延びている、第２の入口ポートであって、当該第１の入口ポート及び当該第２の入口ポートは、当該第１の入口ポートと当該第２の入口ポートとの間の流れ経路を画定している、第１の入口ポート及び第２の入口ポートと、当該ハウジングの上部分から、当該ハウジングの当該内腔内へ延びている、第２の入口ポートと、を備え、当該折りたたみ可能なバルブが、閉じた状態にあるとき、当該折りたたみ可能なバルブの当該ヘッドは、当該第２の入口ポートから当該流れ経路内への、流体の流れを遮断し、当該折りたたみ可能なバルブが、開いた状態にあるとき、当該第２の入口ポートは、当該流れ経路に、流体的に接続されている、セルフ・フラッシング・コネクタ。
【００４８】
第１６条：当該流れ経路は、当該第１の入口ポートから、当該ハウジングの当該内腔内へ、かつ当該折りたたみ可能なバルブの当該本体の周りで、当該出口ポートまで延びている、第１の流れ経路を含み、第２の流れ経路は、当該第２の入口ポートから、当該ハウジングの当該内腔内へ、かつ当該折りたたみ可能なバルブの当該ヘッドの周りで、当該第１の流れ経路まで延びている、第１５条に記載のセルフ・フラッシング・コネクタ。
【００４９】
第１７条：当該第１の入口ポートは、第１の流体が、当該コネクタ内に流れることを可能にし、当該バルブの当該開いた状態にあるとき、当該第２の入口ポートは、第２の流体が、当該コネクタ内に流れることを可能にし、当該第１の流体と当該第２の流体は、異なる、第１６条に記載のセルフ・フラッシング・コネクタ。
【００５０】
第１８条：当該バルブの当該ヘッドは、当該第２の入口ポート内に延びている、第１５条に記載のセルフ・フラッシング・コネクタ。
【００５１】
第１９条：当該第２の入口ポートは、当該第１の入口ポートに対して垂直に配置されている、第１５条に記載のセルフ・フラッシング・コネクタ。
【００５２】
第２０条：当該第２の入口ポートは、当該出口ポートに対して垂直に配置されている、第１５条に記載のセルフ・フラッシング・コネクタ。
【００５３】
前述の説明は、当業者が、本明細書に記載の様々な態様を実施できるようにするために、提供されている。ベストモード及び／又はその他の例であると考えられるものが、前述において説明されたが、一方、これらの態様に対する様々な修正が、当業者に直ちに明らかであり、かつ本明細書で定められる包括的な原理は、他の態様に適用され得ることが、理解される。したがって、特許請求の範囲は、本明細書に示される態様に限定されるように意図されているのではなく、文言による特許請求の範囲と一致する、完全な範囲が与えられるべきである。ここで、単数形の要素への言及は、特にそのように述べられているのでない限り「１つの、かつ１つだけの」を意味するように意図されているではなく、むしろ「１つ以上」を意味するように意図されている。特に別段述べられているのでない限り、「セット（ａ  ｓｅｔ）」及び「一部の（いくつかの）（ｓｏｍｅ）」という用語は、１つ以上を指す。男性の代名詞（例えば、彼（ｈｉｓ））は、女性及び中性の性（例えば、彼女（ｈｅｒ）及びその（ｉｔｓ））を含み、その逆も同様である。見出し及び小見出しは、もしあれば、便宜のためにのみ使用されており、本発明を限定しない。
【００５４】
開示されるプロセス中の、ステップの特定の順序又は階層は、例示的なアプローチを示していることが、理解される。設計の好みに基づいて、プロセス中のステップの特定の順序又は階層は、再配置されてもよいことが理解される。ステップのうちいくつかは、同時に実行されてもよい。添付の方法クレームは、様々なステップの要素を例示的な順序で提示しており、提示されている特定の順序又は階層に限定されるように意図されているのではない。
【００５５】
本開示で使用される「上（ｔｏｐ）」、「下（ｂｏｔｔｏｍ）」、「前（ｆｒｏｎｔ）」、「後（ｒｅａｒ）」などの用語は、通常の重力基準系ではなく、むしろ任意の基準系を参照するものとして、理解されるべきである。したがって、上面、下面、前面、及び後面は、重力基準系において、上向き、下向き、対角線状、又は水平に、延び得る。
【００５６】
「態様」などの語句は、そのような態様が、対象技術に必須であること、又はそのような態様が、対象技術のすべての構成に適用されることを、含意しない。態様に関する開示は、すべての構成、又は１つ以上の構成に適用され得る。態様などの語句は、１つ以上の態様を指し得、その逆も同様である。「実施形態」などの語句は、そのような実施形態が、対象技術に必須であること、又はそのような実施形態が、対象技術のすべての構成に適用されることを、含意しない。実施形態に関する開示は、すべての実施形態、又は１つ以上の実施形態に適用され得る。実施形態などの語句は、１つ以上の実施形態を指し得、その逆も同様である。
【００５７】
「例示的」という語は、「例又は例示として役立つ」という意味であるように、本明細書で使用される。「例示的」として本明細書で説明されるあらゆる態様又は設計は、他の態様又は設計よりも好ましいか又は有利なものとして、必ずしも解釈されるべきではない。
【００５８】
当業者に知られた、又は後に知られることとなる、本開示全体にわたって説明される様々な態様の要素に対する、すべての構造上及び機能上の同等なものは、参照により本明細書に明示的に組み込まれ、かつ、特許請求の範囲に包含されるように意図されている。さらにその上、本明細書で開示されるものは何も、そのような開示が特許請求の範囲に明示的に記載されているかどうかにかかわらず、公衆に捧げられるように意図されていない。いかなるクレーム要素も、当該要素が、「ための手段（ｍｅａｎｓ  ｆｏｒ）」という語句を使用して明示的に記載されているか、又は方法クレームの場合に、当該要素が、「ためのステップ（工程）（ｓｔｅｐ  ｆｏｒ）」という語句を使用して記載されているのでない限り、合衆国法典第３５巻第１１２条第６パラグラフの規定に基づいて解釈されるべきでない。さらにまた、「含む（含み）（ｉｎｃｌｕｄｅ）」、「有する（有し）（ｈａｖｅ）」などの用語が、明細書又は特許請求の範囲で使用される限りにおいて、そのような用語は、「含む（含み）（ｃｏｍｐｒｉｓｅ）」が特許請求の範囲の移行部の語として用いられる場合に解釈されるときの、「含む（含み）（ｃｏｍｐｒｉｓｅ）」という用語に類似する態様で、包括的であるように意図されている。
【図１】
2021521967.tif 000003
【図２】
2021521967.tif 000004
【図３】
2021521967.tif 000005
【図４】
2021521967.tif 000006
【図５】
2021521967.tif 000007
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
内腔と、第１の入口ポートと、第２の入口ポートと、出口ポートと、を含むハウジングであって、前記第１の入口ポートは、前記ハウジングの側壁から、前記内腔まで延びており、前記第２の入口ポートは、前記ハウジングの上部分から、前記内腔まで延びており、前記出口ポートは、前記第１の入口ポート及び前記内腔と、流体的に接続されており、前記第１の入口ポートは、前記出口ポートと軸方向に一列に並べられている、ハウジングと、
前記内腔内に配置された、折りたたみ可能なバルブと、
前記第１の入口ポートから前記出口ポートまで延びている、第１の流れ経路であって、前記第１の入口ポート及び前記第２の入口ポートは、前記折りたたみ可能なバルブと、前記内腔を画定している前記ハウジングの内壁と、の間に画定されたギャップを通して流体的に接続されている、第１の流れ経路と、
前記第２の入口ポートから前記第１の流れ経路まで延びている、第２の流れ経路と、を備え、
前記折りたたみ可能なバルブが、閉じた状態にあるとき、前記折りたたみ可能なバルブは、前記第２の流れ経路を、前記第１の流れ経路から、流体的に切断し、前記第１の流れ経路は、流体が前記第１の流れ経路を通って流れることが可能なように継続的に開いており、
前記折りたたみ可能なバルブが、開いた状態にあるとき、前記第１の流れ経路は継続的に開いており、前記第２の流れ経路は、前記第１の流れ経路に、流体的に接続されて、前記第２の流れ経路に入る流体が前記出口ポートを通って外へフラッシュされることを、可能にする、
セルフ・フラッシング・コネクタ。
【請求項２】
前記折りたたみ可能なバルブは、ヘッドと、前記ヘッドから長手方向に延びている、本体と、を含み、前記閉じた状態にあるとき、前記ヘッドは、前記第２の入口ポート内に延びて、前記第２の流れ経路を、前記第１の流れ経路から、流体的に切断する、請求項１に記載のセルフ・フラッシング・コネクタ。
【請求項３】
前記第２の入口ポートは、前記第１の入口ポートに対して垂直に配置されている、請求項１に記載のセルフ・フラッシング・コネクタ。
【請求項４】
前記第２の入口ポートは、前記出口ポートに対して垂直に配置されている、請求項１に記載のセルフ・フラッシング・コネクタ。
【請求項５】
前記折りたたみ可能なバルブの本体は、前記本体内に延びている、内腔を含み、前記内腔を画定している、前記本体の内壁は、前記バルブに圧力が加えられたときに、前記バルブが変形することを可能にする、少なくとも１つのディンプルを含む、請求項１に記載のセルフ・フラッシング・コネクタ。
【請求項６】
前記折りたたみ可能なバルブが、前記開いた状態にあるとき、前記第１の入口ポートは、第１の流体が、前記内腔内に流れることを可能にし、前記第２の入口ポートは、前記第１の流体とは異なる第２の流体が、前記内腔内に同時に流れることを可能にする、請求項１に記載のセルフ・フラッシング・コネクタ。
【請求項７】
内腔と、第１の入口ポートと、第２の入口ポートと、出口ポートと、を含み、前記第１の入口ポートは、前記出口ポートと軸方向に一列に並べられている、ハウジングと、
前記ハウジングの前記内腔内に配置された、折りたたみ可能なバルブであって、前記折りたたみ可能なバルブは、ヘッドと、前記ヘッドから延びている本体と、前記本体の一部に画定された肩部を含む、折りたたみ可能なバルブと、
前記第１の入口ポートから、前記ハウジングの前記内腔内へ、かつ前記折りたたみ可能なバルブの前記本体の周りで、前記出口ポートまで延びている、第１の流れ経路と、
前記第２の入口ポートから、前記ハウジングの前記内腔内へ、かつ前記折りたたみ可能なバルブの前記ヘッドの周りで、前記第１の流れ経路まで延びている、第２の流れ経路と、を備え、
前記折りたたみ可能なバルブが、閉じた状態にあるとき、前記折りたたみ可能なバルブの前記ヘッドは、前記第２の流れ経路を、前記第１の流れ経路から、流体的に切断し、前記第１の流れ経路は継続的に開いており、
前記折りたたみ可能なバルブが、開いた状態にあるとき、前記第１の流れ経路は継続的に開いており、前記第２の流れ経路は、前記第１の流れ経路に、流体的に接続される、
セルフ・フラッシング・コネクタ組立体。
【請求項８】
前記閉じた状態にあるとき、前記バルブの前記ヘッドは、前記第２の入口ポート内に延びている、請求項７に記載のセルフ・フラッシング・コネクタ。
【請求項９】
前記第１の入口ポートは、前記出口ポートとは反対側に配置されている、請求項７に記載のセルフ・フラッシング・コネクタ。
【請求項１０】
前記第２の入口ポートは、前記第１の入口ポートに対して垂直に配置されている、請求項７に記載のセルフ・フラッシング・コネクタ。
【請求項１１】
前記第２の入口ポートは、前記出口ポートに対して垂直に配置されている、請求項７に記載のセルフ・フラッシング・コネクタ。
【請求項１２】
前記折りたたみ可能なバルブの前記本体は、前記本体内に延びている、内腔を含み、前記内腔を画定している、前記本体の内壁は、前記バルブに圧力が加えられたときに、前記バルブが変形することを可能にする、少なくとも１つのディンプルを含む、請求項７に記載のセルフ・フラッシング・コネクタ。
【請求項１３】
前記バルブが、前記開いた状態にあるとき、前記第１の入口ポートは、第１の流体が、前記内腔内に流れることを可能にし、前記第２の入口ポートは、前記第１の流体とは異なる第２の流体が、前記内腔内に同時に流れることを可能にする、請求項７に記載のセルフ・フラッシング・コネクタ。
【請求項１４】
ハウジングであって、前記ハウジング内に長手方向に延びている内腔を含む、ハウジングと、
前記ハウジングの前記内腔内に配置された、折りたたみ可能なバルブであって、前記折りたたみ可能なバルブは、ヘッドと、前記ヘッドから延びている本体と、を含む、折りたたみ可能なバルブと、
前記ハウジングの側壁から延びている、第１の入口ポート、及び前記ハウジングの反対側の側壁から延びている、出口ポートであって、前記第１の入口ポートは、前記出口ポートと一列に並べられ、前記第１の入口ポートと前記出口ポートとの間の流れ経路を画定している、第１の入口ポート及び出口ポートと、
前記ハウジングの上部分から、前記ハウジングの前記内腔内へ延びている、第２の入口ポートと、を備え、
前記折りたたみ可能なバルブが、閉じた状態にあるとき、前記折りたたみ可能なバルブの前記ヘッドは、前記第２の入口ポートから前記流れ経路内への、流体の流れを遮断し、前記流れ流路は継続して開いており、
前記折りたたみ可能なバルブが、開いた状態にあるとき、前記流れ流路は継続して開いており、前記第２の入口ポートは、前記流れ経路に、流体的に接続されている、
セルフ・フラッシング・コネクタ。
【請求項１５】
前記流れ経路は、前記第１の入口ポートから、前記ハウジングの前記内腔内へ、かつ前記折りたたみ可能なバルブの前記本体の周りで、前記出口ポートまで延びている、第１の流れ経路を含み、
第２の流れ経路は、前記第２の入口ポートから、前記ハウジングの前記内腔内へ、かつ前記折りたたみ可能なバルブの前記ヘッドの周りで、前記第１の流れ経路まで延びている、請求項１４に記載のセルフ・フラッシング・コネクタ。
【請求項１６】
前記第１の入口ポートは、第１の流体が、前記コネクタ内に流れることを可能にし、前記バルブの前記開いた状態にあるとき、前記第２の入口ポートは、第２の流体が、前記コネクタ内に流れることを可能にし、
前記第１の流体と前記第２の流体は、異なる、請求項１５に記載のセルフ・フラッシング・コネクタ。
【請求項１７】
前記バルブの前記ヘッドは、前記第２の入口ポート内に延びている、請求項１４に記載のセルフ・フラッシング・コネクタ。
【請求項１８】
前記第２の入口ポートは、前記第１の入口ポートに対して垂直に配置されている、請求項１４に記載のセルフ・フラッシング・コネクタ。
【請求項１９】
前記第２の入口ポートは、前記出口ポートに対して垂直に配置されている、請求項１４に記載のセルフ・フラッシング・コネクタ。
【国際調査報告】
2021521967.tif 000008
2021521967.tif 000009
2021521967.tif 000010